(57)【要約】【目的】放送受信により得た映像や音声の編集等においてユーザに利便を与えることができる放送受信装置を提供する。【構成】ディジタル放送受信装置３０は、ディジタルチューナ２、デマルチプレクサ３、ビデオデコーダ４等を備え、ディジタル放送波を受信して映像及び／又は音声を出力する。メモリ６，７には、ディジタル放送を受信して得た映像データ及び／又は音声データが格納される。メールソフト８は、前記映像データ及び／又は音声データをメモリ６，７から読み出し、モデム９を介して電子メールにより、編集ソフト等を備えたパーソナルコンピュータに宛てて送出する。【選択図】　　　　　　　　　　図１
2004112623.tif 000002
【特許請求の範囲】
【請求項１】
ディジタル放送波を受信して映像及び／又は音声を出力するように構成された放送受信装置において、ディジタル放送を受信して得た映像データ及び／又は音声データを記憶する記憶手段と、前記映像データ及び／又は音声データを記憶手段から読み出して電子メールとして回線に送出する手段と、を備えたことを特徴とする放送受信装置。
【請求項２】
アナログ放送波を受信して映像及び／又は音声を出力するように構成された放送受信装置において、受信したアナログ放送による映像及び／又は音声をＡ／Ｄ変換して得た映像データ及び／又は音声データを記憶する記憶手段と、前記映像データ及び／又は音声データを記憶手段から読み出して電子メールとして回線に送出する手段と、を備えたことを特徴とする放送受信装置。
【請求項３】
請求項１又は請求項２に記載の放送受信装置において、外部入力端子からの入力に基づいて得た映像データ及び／又は音声データを記憶し、前記映像データ及び／又は音声データを読み出して電子メールとして回線に送出するように構成されたことを特徴とする放送受信装置。
【請求項４】
ディジタル放送波及び／又はアナログ放送波を受信して映像及び／又は音声を出力するように構成された放送受信装置において、ユーザ操作で入力された文字情報を記憶する記憶手段と、前記文字情報を記憶手段から読み出してファクシミリ送信手順に基づいて回線に送出する手段と、を備えたことを特徴とする放送受信装置。
【発明の詳細な説明】
【０００１】
【産業上の利用分野】
この発明は、ディジタル放送波やアナログ放送波を受信する放送受信装置に関する。
【０００２】
【従来の技術】
従来より、アナログテレビ放送やディジタルテレビ放送を受信することによって得た映像や音声を外部記録装置や内部記録装置に記録できるようにした放送受信装置が提案されている。また、ビデオカメラ等で記録した映像や音声を編集するための編集機器が提供されている。更に、近年においては、パーソナルコンピュータによってディジタル映像やディジタル音声を編集することもできるようになっている。
【０００３】
なお、従来の放送受信装置としては、ディジタル放送波に載せられたメールを受信するものがある（特許文献１参照）。
【０００４】
【特許文献１】
特開２００２−１４１８１８号
【０００５】
【発明が解決しようとする課題】
アナログテレビ放送やディジタルテレビ放送を受信する放送受信装置は、受信した映像や音声をそのまま記録するのには適していても、記録した映像や音声を編集するのに適した構成にはなっていない。また、受信して記録した映像や音声を友人等に渡すときには、記録媒体を渡さなければならなかった。
【０００６】
この発明は、上記の事情に鑑み、放送受信により得た映像や音声の編集等においてユーザに利便を与えることができる放送受信装置を提供することを目的とする。
【０００７】
【課題を解決するための手段】
この発明の放送受信装置は、上記の課題を解決するために、ディジタル放送波を受信して映像及び／又は音声を出力するように構成された放送受信装置において、ディジタル放送を受信して得た映像データ及び／又は音声データを記憶する記憶手段と、前記映像データ及び／又は音声データを記憶手段から読み出して電子メールとして回線に送出する手段と、を備えたことを特徴とする。
【０００８】
また、この発明の放送受信装置は、上記の課題を解決するために、アナログ放送波を受信して映像及び／又は音声を出力するように構成された放送受信装置において、受信したアナログ放送による映像及び／又は音声をＡ／Ｄ変換して得た映像データ及び／又は音声データを記憶する記憶手段と、前記映像データ及び／又は音声データを記憶手段から読み出して電子メールとして回線に送出する手段と、を備えたことを特徴とする。
【０００９】
これらの構成であれば、放送受信に基づく映像データ及び／又は音声データをパーソナルコンピュータ等のメール受信機に渡すことができる。従って、放送受信装置においては編集機能を備えることなく、手持ちのパーソナルコンピュータ等において放送受信に基づく映像データ及び／又は音声データを得て映像／音声の編集が行えることになる。
【００１０】
外部入力端子からの入力に基づいて得た映像データ及び／又は音声データを記憶し、前記映像データ及び／又は音声データを読み出して電子メールとして回線に送出するように構成されているのがよい。これによれば、放送受信に基づく映像データ及び／又は音声データだけでなく、ディジタルカメラやビデオテープレコーダの出力についても、手持ちのパーソナルコンピュータ等にデータ送信し、映像／音声の編集が行えることになる。
【００１１】
また、この発明の放送受信装置は、ディジタル放送波及び／又はアナログ放送波を受信して映像及び／又は音声を出力するように構成された放送受信装置において、ユーザ操作で入力された文字情報を記憶する記憶手段と、前記文字情報を記憶手段から読み出してファクシミリ送信手順に基づいて回線に送出する手段と、を備えたことを特徴とする。
【００１２】
【発明の実施の形態】
以下、この発明の第１の実施形態を図１に基づいて説明するが、ここではディジタル放送を受信する構成を例示している。図１はこの実施形態のディジタル放送受信装置３０を示したブロック図である。
【００１３】
図１において、アンテナ１は、屋外において所定の方向に向けて配置されており、地上波放送局やＢＳ等から送られてくるディジタル放送信号を受信し、受信した信号をディジタルチューナ２に与える。
【００１４】
ディジタルチューナ２は、映像・音声データを含む高周波ディジタル変調信号のうちから特定周波数の信号を取り出す。また、ディジタルチューナ２は、復調回路、逆インタリーブ回路、誤り訂正回路などを備えることにより、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報等をＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１６】
ビデオデコーダ４は、入力された符号化信号を復号して量子化係数や動きベクトルを求め、逆ＤＣＴ変換や動きベクトルに基づく動き補償制御などを行う。オーディオデコーダ５は、入力された符号化信号を復号して音声データを生成する。図では映像表示・音声出力系を省略しているが、デコードにより生成された映像データは映像処理回路に出力され、音声データは音声処理回路に出力される。映像処理回路は、ビデオデコーダ４から映像データを受け取ってＤ／Ａ変換を行い、例えばコンポジット映像信号に変換する。音声処理回路は、オーディオデコーダ５から出力された音声データを受け取ってＤ／Ａ変換を行い、例えば右（Ｒ）音のアナログ信号及び左（Ｌ）音のアナログ信号を生成する。
【００１７】
メモリ（ＲＡＭ、ＥＥＰＲＯＭ、フラッシュメモリ等）６には、ビデオデコーダ４から出力されるディジタル映像データが格納される。また、メモリ（ＲＡＭ、ＥＥＰＲＯＭ、フラッシュメモリ等）７には、オーディオデコーダ４から出力されるディジタル音声データが格納される。
【００１８】
メールソフト８はメモリ６，７から読み出したデータをメールに添付する処理を行う。メールの宛て先（アドレス）等の文字入力は、図示しないリモコン送信機のテンキー等を用いて入力する。モード設定によって、テンキー等を英文字入力キーや＠マーク等の特殊文字キーとして扱うことができる。
【００１９】
モデム９は、メールソフト８から受け取ったメール（ディジタル信号）を電話回線の特性に適した帯域のアナログ信号に変換して出力する。メールはプロバイダのメールサーバ（図示せず）等を通じてメール受信機（携帯電話やパーソナルコンピュータ等）４０に与えられることになる。なお、モデム９は、ディジタル放送受信装置においては、課金情報をセンターに伝送するときのダイヤルアップ接続のために予め設けられている。
【００２０】
識別アプリケーション１０は、メールソフト８にて添付されるデータに名称と識別子を与える。なお、識別アプリケーション１０及びメールソフト８は、ＲＯＭ（或いはフラッシュＲＯＭ）等に格納されている。添付データの名称は、データ記録の際に、ＯＳＤ表示機能を利用して名称入力枠部を画面表示し、ユーザがリモコン送信機にて名称となる文字入力を行えるようにしておけばよい。また、ＯＳＤ表示機能を利用してメニュー画面を表示し、そのなかの「メール」といった項目を選択することでメールソフトが呼び出されるようにしておけばよい。
【００２１】
以上説明したように、放送受信による映像データ及び／又は音声データをメールによってパーソナルコンピュータや携帯電話に与えることができ、手持ちのパーソナルコンピュータにメール送信すれば、このパーソナルコンピュータにおいて画像編集や音楽編集を行って所望の記録媒体に編集記録するといったことができ、また、友人の携帯電話に送れば、気に入った番組を友人に見せてあげるといったことができることになる。
【００２２】
なお、上記の例では、デコードによって得られた映像データや音声データをメールに添付することとしたが、デコード前のＭＰＥＧ２データファイルを添付したり、或いは、ＭＰＥＧ４データ等に変換したファイルを添付するようにしてもよい。添付データは音声データのみ（ディジタル放送のラジオチャンネルから取得する場合がある）といった形態でもよい。また、ファクシミリソフトを搭載し、リモコン送信機等で入力された文字情報をメモリに格納し、このメモリから文字情報を読み出してモデム９を介してファクシミリ装置に送出するように構成されていてもよい。
【００２３】
以下、この発明の第２の実施形態を図２に基づいて説明するが、ここではアナログ放送を受信する構成を例示している。図２はこの実施形態のアナログ放送受信装置３１を示したブロック図である。なお、図１と同様の機能ブロックには同一の符号を付記している。
【００２４】
アナログチューナ１１は、希望チャンネルの受信信号と局部発振信号とを混合して中間周波数映像信号及び中間周波数音声信号を生成する。局部発振信号は図示しない発振回路から出力され、この発振回路は例えば印加電圧によって容量が変化する可変容量ダイオード等を備えて成り、一定の中間周波数の信号が出力されるように、希望チャンネルの信号に対応させて可変した局部発振信号を生成する。そして、アナログチューナ１１は、増幅した中間周波数信号を検波してＮＴＳＣ信号を取り出してＭＰＥＧ４エンコーダ１２に出力する。また、音声信号については、それだけをＡ／Ｄコンバータ１３に出力することもできる。
【００２５】
ＭＰＥＧ４エンコーダ１２は、ＮＴＳＣ信号をＭＰＥＧ４のビデオ・オーディオストリームのファイルに変換してメモリ６に与える。また、Ａ／Ｄコンバータ１３は音声信号をディジタル信号化してメモリ７に与える。この音声信号についても所定の符号化処理を行うようにしてもよい。メモリ６，７に格納されたファイルはメールソフト８によって送出される。
【００２６】
かかる構成であれば、アナログ放送受信による映像／音声に基づいた映像データ及び／又は音声データをメールによってパーソナルコンピュータや携帯電話に与えることができ、手持ちのパーソナルコンピュータにメール送信すれば、このパーソナルコンピュータにおいて画像編集や音楽編集を行って所望の記録媒体に編集記録するといったことができ、また、友人の携帯電話に送れば、気に入った番組を友人に見せてあげるといったことができることになる。
【００２７】
以下、この発明の第３の実施形態を図３に基づいて説明する。図３はこの実施形態の放送受信装置３２を示したブロック図である。なお、放送受信機能部分については図示を省略し、入力端子からの入力信号処理系を主に示すと共に、図１と同様の機能ブロックには同一の符号を付記している。
【００２８】
映像入力端子２１には例えばビデオテープレコーダ（図示せず）からの映像信号が入力され、音声入力端子には音声信号が入力される。映像信号はＡ／Ｄコンバータ２３によってディジタル映像データとなり、メモリ６に格納される。音声信号はＡ／Ｄコンバータ２４によってディジタル音声データとなり、メモリ７に格納される。メモリ６，７に格納されたデータはメールソフト８によって送出される。
【００２９】
かかる構成であれば、ビデオテープレコーダの出力による映像／音声に基づいた映像データ及び／又は音声データをメールによってパーソナルコンピュータや携帯電話に与えることができ、手持ちのパーソナルコンピュータにメール送信すれば、このパーソナルコンピュータにおいて画像編集や音楽編集を行って所望の記録媒体に編集記録するといったことができ、また、友人の携帯電話に送れば、気に入った番組を友人に見せてあげるといったことができることになる。
【００３０】
なお、ディジタルビデオテープレコーダからディジタルの映像データ及び／又は音声データを入力するのであれば、Ａ／Ｄコンバータは不要である。また、ＤＶＤプレーヤーなどの機器からＭＰＥＧのビデオ・オーディオストリームを受け取ることができる構成であれば、ＭＰＥＧのビデオ・オーディオストリームをそのままファイルとしてメモリに格納し、このファイルを読み出してメール送信することも可能である。
【００３１】
【発明の効果】
以上説明したように、この発明の放送受信装置であれば、放送受信に基づく映像データ及び／又は音声データをパーソナルコンピュータ等のメール受信機に渡すことができる。従って、放送受信装置においては編集機能を備えることなく、手持ちのパーソナルコンピュータ等において放送受信に基づく映像データ及び／又は音声データを得て映像／音声の編集が行えることになる。また、友人の携帯電話に送れば、気に入った番組を友人に見せてあげるといったことができることになる。
【図面の簡単な説明】
【図１】この発明の実施形態１の放送受信装置を示したブロック図である。
【図２】この発明の実施形態２の放送受信装置を示したブロック図である。
【図３】この発明の実施形態３の放送受信装置を示したブロック図である。
【符号の説明】
１　　アンテナ
２　　チューナ
３　　デマルチプレクサ（ＤＥＭＵＸ）
４　　ビデオデコーダ
６　　メモリ
７　　メモリ
８　　メールソフト
９　　モデム
１０　識別アプリケーション
【図１】
2004112623.tif 000003
【図２】
2004112623.tif 000004
【図３】
2004112623.tif 000005